(57)【要約】【課題】ゲーム面が見やすく、遊技による疲労感も少ないゲーム機を提供する。【解決手段】ゲーム面７と、該ゲーム面７の全体に届く光を供給する光源１０と、を備えている。該光源１０からの光によって前記ゲーム面７の全体が照らされるので、前記ゲーム面７に対面する遊技者にとって、前記ゲーム面７の全体が見やすく、遊技による疲労感も少ない。好ましくは、前記ゲーム面７を実質的に垂直面とし、前記光源１０を、前記ゲーム面７の上方に配置されて該ゲーム面の横幅方向の長さを有する蛍光灯１０とする。また、前記ゲーム面７を覆う透明カバー４を設け、前記光源１０を、前記透明カバー４と前記ゲーム面７との間の空間Ｓ２の上方に配設する。【選択図】    図２
2004215910.tif 000002
【特許請求の範囲】
【請求項１】
ゲーム面（７）と、該ゲーム面（７）の全体を明るく照らす光を供給する光源（１０）と、を備えている、ゲーム機。
【請求項２】
前記ゲーム面（７）を覆う透明なカバー（４）を備え、前記光源（１０）が、前記カバー（４）と前記ゲーム面（７）との間に設けた空間（Ｓ２）に光を供給する、請求項１に記載のゲーム機。
【請求項３】
前記ゲーム面（７）を覆う透明な外カバー（４）と、該外カバー（４）の内側で前記ゲーム面（７）を覆う透明な内カバー（９）と、を備え、前記光源（１０）が、前記外カバー（４）と前記内カバー（９）との間に設けた空間（Ｓ２）に光を供給する、請求項１に記載のゲーム機。
【請求項４】
前記ゲーム面（７）と前記内カバー（９）とがパチンコ盤（３）を構成している、請求項３に記載のゲーム機。
【請求項５】
筐体（２）と、該筐体（２）内にそのゲーム面（７）が縦面となるように配置されたゲーム盤（３）と、を備えているゲーム機（１）であって、該ゲーム機（１）の前面を構成する透明なカバー（４）から後方へ奥まった位置に前記ゲーム盤（３）を配設し、該ゲーム盤（３）の全体を明るく照らす光を供給する光源（１０）を、前記ゲーム盤（３）と前記カバー（４）との間の空間（Ｓ２）の上方に配設してある、ゲーム機。
【請求項６】
前記光源（１０）が、前記ゲーム面（７）の横幅方向の長さを有する蛍光灯（１０）である、請求項１乃至５のいずれか一項に記載のゲーム機。
【請求項７】
前記ゲーム面（７）に対面する遊技者の目に前記光源（１０）からの光が直接入ることを防止する光源カバー（１１）を備えている、請求項１乃至６のいずれか一項に記載のゲーム機。
【発明の詳細な説明】
【０００１】
【発明の属する技術分野】
本発明は、ゲーム機に関するものである。
【０００２】
【従来の技術】
例えば、ゲーム機の一例としての業務用パチンコ台においては、光源として、ゲーム面やその周囲の装飾を目的としたＬＥＤが設けられている程度であり、ゲーム面の全体を見やすくするための専用の光源は設けられていない。
【０００３】
【発明が解決しようとする課題】
このため、店内の照明が十分でない場合には、遊技者にとってゲーム面や玉の動きが見づらいほか、目などが疲れやすい等の問題があった。
【０００４】
そこで、本発明は、ゲーム面の全体が見やすく、遊技による疲労感も少ないゲーム機を提供しようとするものである。
【０００５】
【課題を解決するための手段】
前記課題を解決するため、本発明に係るゲーム機は、ゲーム面と、該ゲーム面の全体を明るく照らす光を供給する光源と、を備えたことを特徴としている（請求項１）。
【０００６】
本発明によれば、前記光源からの光によって、前記ゲーム面の全体が明るく照らされるので、前記ゲーム面に対面する遊技者にとって、前記ゲーム面の全体が見やすく、遊技による疲労感も少ない。
【０００７】
好適な実施の一形態として、前記ゲーム面を覆う透明なカバーを備え、前記光源が、前記カバーと前記ゲーム面との間に設けた空間に光を供給するものとすることもできる（請求項２）。この場合、前記空間が前記光源で照らされることにより、前記ゲーム面の全体が明るく見やすくなる。
【０００８】
他の好適な実施の一形態として、前記ゲーム面を覆う透明な外カバーと、該外カバーの内側で前記ゲーム面を覆う透明な内カバーと、を備え、前記光源が、前記外カバーと前記内カバーとの間に設けた空間に光を供給するものとすることもできる（請求項３）。この場合も、前記空間が前記光源で照らされることにより、前記ゲーム面の全体が明るく見やすくなる。
【０００９】
また、前記ゲーム面と前記内カバーとがパチンコ盤を構成しているものとすることもできる（請求項４）。この場合、前記光源からの光で前記ゲーム面が照られることにより、該ゲーム面におけるパチンコ玉の動きが見やすくなる。
【００１０】
本発明の他の実施の一形態として、筐体と、該筐体内にそのゲーム面が縦面となるように配置されたゲーム盤と、を備えているゲーム機であって、該ゲーム機の前面を構成する透明なカバーから後方へ奥まった位置に前記ゲーム盤を配設し、該ゲーム盤の全体を明るく照らす光を供給する光源を、前記ゲーム盤と前記カバーとの間の空間の上方に配設したものとすることもできる（請求項５）。
【００１１】
好適な実施の一形態として、前記光源が、前記ゲーム面の横幅方向の長さを有する蛍光灯であるものとすることもできる（請求項６）。このようにすれば、前記ゲーム面の全体に柔らかで明るい光が均等に供給されるので、好適である。
【００１２】
好適な実施の一形態として、前記ゲーム面に対面する遊技者の目に前記光源からの光が直接入ることを防止する光源カバーを備えたものとすることもできる（請求項７）。このようにすれば、前記光源カバーで遊技者の目が保護されるので、遊技による疲労がより一層少なくなり、好適である。
【００１３】
【発明の実施の形態】
以下、添付図面を参照して、本発明の好適な一実施の形態について説明する。
【００１４】
図１は、本発明の一実施の形態に係るゲーム機の全体斜視図、図２は、図１の縦断面図である。
【００１５】
図１において、本実施の形態に係るゲーム機１は、筐体２と、該筐体２内に配設されたゲーム盤としてのパチンコ盤３と、前記筐体２に付設された表示装置５と、同じく前記筐体２に付設された操作盤６と、を備えている。前記パチンコ盤３は、そのゲーム面７（フィールド面）が実質的に縦面又は垂直面となるように前記筐体２内に配置されている。前記操作盤６は、前記パチンコ盤３に対面する遊技者から見て手元となる位置に配置され、前記操作盤６と前記パチンコ盤３との間に、前記表示装置５が配置されている。
【００１６】
本実施の形態では、前記ゲーム機１は、パチンコと麻雀とを合わせた内容のゲームを行うことができるものとされている。すなわち、前記パチンコ盤３は、ツモ牌を決めるためのゲーム部として使用され、前記表示装置５は、前記パチンコ盤３で得られたツモ牌を組み合わせて遊技者が役を作っていくための麻雀ゲーム部として使用される。このため、本実施の形態では、前記表示装置５は、得点を数値でデジタル表示するための上段のデジタル表示部５ａと、手牌とドラ牌とを表示するために縦に５個、横に２７個の牌が表示された下段の麻雀牌表示部５ｂと、で形成されている。該麻雀牌表示部５ｂは、その後方に配設された図示しないＬＥＤ等の光源によって、その後ろから照らされるようになっている。また、前記操作盤６上には、操作手段として、多数の操作ボタン８が配設されている。
【００１７】
本実施の形態では、前記表示装置５を、前記ゲーム面７から分離して、それとは別の位置、具体的には、前記パチンコ盤３の下方に配置している。この点は、従来のパチンコ盤が、そのゲーム面となるフィールド面の一部に（例えば、フィールド面の中央部等）に表示部を設け、フィールド面における表示部以外の領域をパチンコ玉の遊動エリアとしていたのとは異なっている。この構成により、前記ゲーム面７の全体をパチンコ玉の遊動エリアとして使用できるので、ゲーム面全体の縦横の寸法を従来のものから変更することなく、パチンコ玉の遊動可能領域を従来のものより大きくすることができる。よって、パチンコ玉の動きの躍動性や意外性が高まり、パチンコゲーム機としての面白みが増している。
【００１８】
但し、前記ゲーム機１は本発明の実施の一形態に過ぎず、本発明においては、ゲームの内容及びそのための具体的なゲーム機の構成に限定がないことは言うまでもない。
【００１９】
図２に示すように、前記パチンコ盤３は、多数のパチンコ釘やパチンコ玉の障害物等が付設された前記ゲーム面７と、該ゲーム面７をその真近で覆って該ゲーム面７との間にパチンコ玉の流通空間Ｓ１を形成する透明な内カバー９と、を備えている。該内カバー９は、透明ガラス板や透明プラスチック板等で形成され、前記ゲーム面７に対して開閉自在となっている。
【００２０】
前記内カバー９の外側には、該内カバー９と同様に前記ゲーム面７を覆って前記ゲーム機１の前面を構成する透明な外カバー４が配設されている。該外カバー４は、前記筐体２にヒンジ等を用いて取着され、保守点検作業時等には開くことができるようになっている。前記外カバー４も、前記内カバー９と同じく、透明ガラス板や透明プラスチック板等で形成されている。
【００２１】
前記外カバー４と前記内カバー９との間には、例えば、幅１０ｃｍ程度の光空間Ｓ２が設けられている。すなわち、前記パチンコ盤３は、前記外カバー４から後方へ１０ｃｍ程度奥まった位置に配置されたかたちになっている。
【００２２】
前記ゲーム機１は、前記ゲーム面７の全体を明るく照らす光を供給するための光源１０を備えている。この光源１０からは、前記ゲーム面７の全体に、遊技に必要且つ十分な量の光が供給される。このため、たとえ前記ゲーム機１の周囲の明るさが十分でなくても、前記ゲーム面７に対面する遊技者にとって、パチンコ玉の動きや前記ゲーム面７の全体が見やすく、遊技による疲労感も少ない。
【００２３】
前記光源１０としては、限定はされないが、光の柔らかさや明るさ等の点から、蛍光灯を用いることができる。本実施の形態では、前記蛍光灯１０として棒状の蛍光灯を用い、前記光空間Ｓ２の上方に、その長さ方向を前記ゲーム面７の横幅方向と一致させて配置している。前記蛍光灯１０からは、遊技に必要且つ十分な量の柔らかで明るい光が、前記ゲーム面７の上方から前記光空間に供給され、これにより、該ゲーム面７の全体が明るく照らされる。よって、前記ゲーム面７に対面する遊技者にとって、パチンコ玉の動きや前記ゲーム面７が一層見やすくなり、遊技による目の疲れ等も大幅に軽減される。
【００２４】
また、前記ゲーム機１は、前記ゲーム面７に対面する遊技者の目に前記蛍光灯１０からの光が直接入ることを防止する光源カバー１１を備えている。該光源カバー１１は、横長の長方形状のプラスチック等からなる装飾パネルであり、前記蛍光灯１０の前方（遊技者側）に位置するように前記筐体２に取着され、前記外カバー４とともに前記ゲーム機１の前面を構成している。前記光源カバー１１は、前記蛍光灯１０の光が遊技者の目に直接入射するのを阻止する。このため、遊技者の目が保護され、遊技による疲労感がより一層少なくなる。
【００２５】
なお、前記筐体２内の最上部には、前記ゲーム機１の内部からその全体に光を供給する主光源としての蛍光灯１２が配設されている。
【図面の簡単な説明】
【図１】本発明の一実施の形態に係るゲーム機の全体斜視図である。
【図２】図１の縦断面図である。
【符号の説明】
２    筐体
３    パチンコ盤（ゲーム盤）
４    透明カバー（外カバー）
７    ゲーム面
９    内カバー
１０  光源（蛍光灯）
１１  光源カバー
Ｓ２  空間（光空間）
【図１】
2004215910.tif 000003
【図２】
2004215910.tif 000004